(57)【要約】      （修正有）【課題】駆動開口と固定開口がどれだけずれているかを検出することができる構造を提供する。【解決手段】遮光膜１２は、表示領域に複数の固定開口を有する。遮光膜１２は、周辺領域では、周辺領域のシャッタ４０の一部との重複を避けるように形成されたダミー開口２４を有する。ダミー開口２４の縁は、固定開口の規則性を以て周辺領域に配置すると仮想した固定開口の縁の一部からなるエッジを含む。表示領域のシャッタ４０は、第１位置Ｐ１で駆動開口４２と固定開口が連通して光を通過させ、第２位置Ｐ２で駆動開口４２と固定開口がずれるように配置されて光を遮断する。複数のシャッタ４０が第２位置Ｐ２にあるとき、周辺領域の駆動開口４２とエッジとの距離ｄと、表示領域の駆動開口４２と固定開口の縁の一部との距離Ｄとが相間関係を有する。【選択図】図７
2013088648.tif 000002
【特許請求の範囲】
【請求項１】
光透過性の第１基板と、
前記第１基板に形成された遮光膜と、
前記第１基板に間隔をあけて対向するように配置された光透過性の第２基板と、
前記第２基板に設けられた複数のシャッタと、
前記第２基板に設けられ、それぞれの前記シャッタを第１位置と第２位置の間で移動させる駆動部と、
を有し、
前記第１基板と前記第２基板とが重畳する領域は、表示領域と、前記表示領域の外側の周辺領域と、を含み、
前記複数のシャッタは、前記表示領域及び前記周辺領域に配置され、
それぞれの前記シャッタは、前記シャッタの移動と共に移動する、少なくとも１つの駆動開口を有し、
前記複数のシャッタ全体で複数の前記駆動開口を有し、
前記遮光膜は、前記表示領域及び前記周辺領域に形成され、
前記遮光膜は、前記表示領域の前記駆動開口に対応するように、前記表示領域に複数の固定開口を有し、
前記表示領域の前記シャッタは、前記第１位置で前記駆動開口と前記固定開口が連通して光を通過させ、前記第２位置で前記駆動開口と前記前記固定開口がずれるように配置されて前記光を遮断し、
前記遮光膜は、前記周辺領域では、前記周辺領域の少なくとも１つの前記シャッタの一部を露出するダミー開口を有することを特徴とする表示装置。
【請求項２】
請求項１に記載された表示装置において、
前記複数の駆動開口は、前記表示領域及び前記周辺領域の全体で規則性を以て配置され、
前記複数の固定開口は、前記複数の駆動開口の前記規則性に対応した規則性を以て配置され、
前記複数のシャッタが前記第２位置にあるとき、前記周辺領域の前記駆動開口と前記エッジとの距離と、前記表示領域の前記駆動開口と前記固定開口の前記縁の前記一部との距離とが相間関係を有することを特徴とする表示装置。
【請求項３】
請求項２に記載された表示装置において、
前記ダミー開口の縁は、前記複数の固定開口の前記規則性を以て前記周辺領域に配置すると仮想した前記固定開口の縁の一部からなるエッジを含むことを特徴とする表示装置。
【請求項４】
請求項１から３のいずれか１項に記載された表示装置において、
前記複数のシャッタが前記第２位置にあるとき、前記周辺領域の前記駆動開口と前記エッジとの前記距離と、前記表示領域の前記駆動開口と前記固定開口の前記縁の前記一部との前記距離とが等しいことを特徴とする表示装置。
【請求項５】
請求項１から４のいずれか１項に記載された表示装置において、
前記ダミー開口の前記エッジは、前記固定開口の一部であることを特徴とする表示装置。
【請求項６】
請求項１から５のいずれか１項に記載された表示装置において、
前記複数の駆動開口は、それぞれ、前記第１位置と前記第２位置との間の方向に交差して延びるように形成され、
前記表示領域の前記固定開口は、前記表示領域の前記シャッタが前記第２位置にあるとき、前記駆動開口から、前記第１位置と前記第２位置との間の方向にずれて位置することを特徴とする表示装置。
【請求項７】
請求項６に記載された表示装置において、
前記ダミー開口の前記エッジは、前記周辺領域の前記シャッタが前記第２位置にあるとき、前記駆動開口の縁から、前記第１位置と前記第２位置との間の方向にずれて位置することを特徴とする表示装置。
【請求項８】
請求項６に記載された表示装置において、
前記ダミー開口の前記エッジは、前記周辺領域の前記シャッタが前記第２位置にあるとき、前記駆動開口の縁から、前記駆動開口が延びる方向にずれて位置することを特徴とする表示装置。
【請求項９】
請求項６に記載された表示装置において、
前記ダミー開口の前記エッジは、第１エッジ及び第２エッジを含み、
前記第１エッジは、前記周辺領域の前記シャッタが前記第２位置にあるとき、前記駆動開口の縁から、前記第１位置と前記第２位置との間の方向にずれて位置し、
前記第２エッジは、前記周辺領域の前記シャッタが前記第２位置にあるとき、前記駆動開口の縁から、前記駆動開口が延びる方向にずれて位置することを特徴とする表示装置。
【請求項１０】
請求項１から６のいずれか１項に記載された表示装置において、
前記周辺領域の前記シャッタは、第１シャッタと第２シャッタを含み、
前記遮光膜は、前記第１シャッタの前記駆動開口の全体を前記第１シャッタの位置にかかわらず常に覆い、前記第２シャッタが前記第２位置にあるときに前記第２シャッタの前記駆動開口の縁の一部を前記ダミー開口から露出するように形成されていることを特徴とする表示装置。
【請求項１１】
請求項１０に記載された表示装置において、
前記周辺領域で、前記第２シャッタが前記第２位置にあるとき、前記遮光膜の前記エッジは、前記第２シャッタの基材に重なることを特徴とする表示装置。
【請求項１２】
請求項１０に記載された表示装置において、
前記周辺領域で、前記第２シャッタが前記第２位置にあるとき、前記遮光膜の前記エッジは、前記第２シャッタの前記駆動開口に重なることを特徴とする表示装置。
【請求項１３】
請求項１０に記載された表示装置において、
前記周辺領域で、前記第２シャッタが前記第２位置にあるとき、前記遮光膜の前記エッジは、前記第２シャッタの基材に重なる第１エッジと、前記第２シャッタの前記駆動開口に重なる第２エッジと、を含むことを特徴とする表示装置。
【請求項１４】
請求項１から３のいずれか１項に記載された表示装置において、
前記表示領域と前記周辺領域とは、矩形状に形成され、
前記ダミー開口は、前記周辺領域の四隅に形成されていることを特徴とする表示装置。
【発明の詳細な説明】
【技術分野】
【０００１】
本発明は、表示装置に関する。
【背景技術】
【０００２】
ＭＥＭＳディスプレイ（Micro Electro Mechanical System Display）は、液晶ディスプレイに取って代わると期待されているディスプレイである（特許文献１参照）。このディスプレイは、偏光を利用した液晶シャッタ方式とは異なり、機械シャッタ方式によって光の透過窓を開閉することで画像を表示する。
【０００３】
シャッタは駆動開口を有しており、基板に取り付けられて駆動されるようになっている。この基板に対向するように、遮光膜が形成された別の基板が配置されており、遮光膜には固定開口が形成されている。シャッタの駆動で、駆動開口と固定開口が一致すれば光が透過し、両者がずれていれば光が遮断され、１画素のオンオフ動作が可能となる。
【先行技術文献】
【特許文献】
【０００４】
【特許文献１】特開２００８−１９７６６８号公報
【発明の概要】
【発明が解決しようとする課題】
【０００５】
従来のＭＥＭＳディスプレイでは、シャッタが光を遮断しているときに駆動開口と固定開口がどれだけずれているかを検査することができなかった。垂直方向に駆動開口と固定開口がずれていれば、垂直方向に光を遮断することはできるが、斜めに光が漏れないようにするには、予め設定されたずれ量を確保する必要がある。ずれ量はコントラストの視野角依存性に影響し、また両基板の貼り合わせによる位置ずれが大きいと最悪の場合は光漏れも引き起こす可能性があるため、検査により選別できるようにすることが重要である。
【０００６】
本発明は、駆動開口と固定開口のずれ量を検出することができる構造の提供を目的とする。
【課題を解決するための手段】
【０００７】
（１）本発明に係る表示装置は、光透過性の第１基板と、前記第１基板に形成された遮光膜と、前記第１基板に間隔をあけて対向するように配置された光透過性の第２基板と、前記第２基板に設けられた複数のシャッタと、前記第２基板に設けられ、それぞれの前記シャッタを第１位置と第２位置の間で移動させる駆動部と、を有し、前記第１基板と前記第２基板とが重畳する領域は、表示領域と、前記表示領域の外側の周辺領域と、を含み、前記複数のシャッタは、前記表示領域及び前記周辺領域に配置され、それぞれの前記シャッタは、前記シャッタの移動と共に移動する、少なくとも１つの駆動開口を有し、前記複数のシャッタ全体で複数の前記駆動開口を有し、前記遮光膜は、前記表示領域及び前記周辺領域に形成され、前記遮光膜は、前記表示領域の前記駆動開口に対応するように、前記表示領域に複数の固定開口を有し、前記表示領域の前記シャッタは、前記第１位置で前記駆動開口と前記固定開口が連通して光を通過させ、前記第２位置で前記駆動開口と前記前記固定開口がずれるように配置されて前記光を遮断し、前記遮光膜は、前記周辺領域では、前記周辺領域の少なくとも１つの前記シャッタの一部を露出するダミー開口を有することを特徴とする。本発明によれば、シャッタが第２位置にあると光が遮断されるので、表示領域の駆動開口と固定開口のずれ量を測定することができない。しかし、周辺領域で、ダミー開口のエッジと駆動開口の距離を測定することができれば、その距離に対応して、駆動開口と固定開口のずれ量を検出することができる。
【０００８】
（２）（１）に記載された表示装置において、前記複数の駆動開口は、前記表示領域及び前記周辺領域の全体で規則性を以て配置され、前記複数の固定開口は、前記複数の駆動開口の前記規則性に対応した規則性を以て配置され、前記複数のシャッタが前記第２位置にあるとき、前記周辺領域の前記駆動開口と前記エッジとの距離と、前記表示領域の前記駆動開口と前記固定開口の前記縁の前記一部との距離とが相間関係を有することを特徴としてもよい。
【０００９】
（３）（２）に記載された表示装置において、前記ダミー開口の縁は、前記複数の固定開口の前記規則性を以て前記周辺領域に配置すると仮想した前記固定開口の縁の一部からなるエッジを含むことを特徴としてもよい。
【００１０】
（４）（１）から（３）のいずれか１項に記載された表示装置において、前記複数のシャッタが前記第２位置にあるとき、前記周辺領域の前記駆動開口と前記エッジとの前記距離と、前記表示領域の前記駆動開口と前記固定開口の前記縁の前記一部との前記距離とが等しいことを特徴としてもよい。
【００１１】
（５）（１）から（４）のいずれか１項に記載された表示装置において、前記ダミー開口の前記エッジは、前記固定開口の一部であることを特徴としてもよい。
【００１２】
（６）（１）から（５）のいずれか１項に記載された表示装置において、前記複数の駆動開口は、それぞれ、前記第１位置と前記第２位置との間の方向に交差して延びるように形成され、前記表示領域の前記固定開口は、前記表示領域の前記シャッタが前記第２位置にあるとき、前記駆動開口から、前記第１位置と前記第２位置との間の方向にずれて位置することを特徴としてもよい。
【００１３】
（７）（６）に記載された表示装置において、前記ダミー開口の前記エッジは、前記周辺領域の前記シャッタが前記第２位置にあるとき、前記駆動開口の縁から、前記第１位置と前記第２位置との間の方向にずれて位置することを特徴としてもよい。
【００１４】
（８）（６）に記載された表示装置において、前記ダミー開口の前記エッジは、前記周辺領域の前記シャッタが前記第２位置にあるとき、前記駆動開口の縁から、前記駆動開口が延びる方向にずれて位置することを特徴としてもよい。
【００１５】
（９）（６）に記載された表示装置において、前記ダミー開口の前記エッジは、第１エッジ及び第２エッジを含み、前記第１エッジは、前記周辺領域の前記シャッタが前記第２位置にあるとき、前記駆動開口の縁から、前記第１位置と前記第２位置との間の方向にずれて位置し、前記第２エッジは、前記周辺領域の前記シャッタが前記第２位置にあるとき、前記駆動開口の縁から、前記駆動開口が延びる方向にずれて位置することを特徴としてもよい。
【００１６】
（１０）（１）から（６）のいずれか１項に記載された表示装置において、前記周辺領域の前記シャッタは、第１シャッタと第２シャッタを含み、前記遮光膜は、前記第１シャッタの前記駆動開口の全体を前記第１シャッタの位置にかかわらず常に覆い、前記第２シャッタが前記第２位置にあるときに前記第２シャッタの前記駆動開口の縁の一部を前記ダミー開口から露出するように形成されていることを特徴としてもよい。
【００１７】
（１１）（１０）に記載された表示装置において、前記周辺領域で、前記第２シャッタが前記第２位置にあるとき、前記遮光膜の前記エッジは、前記第２シャッタの基材に重なることを特徴としてもよい。
【００１８】
（１２）（１０）に記載された表示装置において、前記周辺領域で、前記第２シャッタが前記第２位置にあるとき、前記遮光膜の前記エッジは、前記第２シャッタの前記駆動開口に重なることを特徴としてもよい。
【００１９】
（１３）（１０）に記載された表示装置において、前記周辺領域で、前記第２シャッタが前記第２位置にあるとき、前記遮光膜の前記エッジは、前記第２シャッタの基材に重なる第１エッジと、前記第２シャッタの前記駆動開口に重なる第２エッジと、を含むことを特徴としてもよい。
【００２０】
（１４）（１）から（３）のいずれか１項に記載された表示装置において、前記表示領域と前記周辺領域とは、矩形状に形成され、前記ダミー開口は、前記周辺領域の四隅に形成されていることを特徴としてもよい。
【図面の簡単な説明】
【００２１】
【図１】本発明の実施形態に係る表示装置の断面図である。
【図２】第１基板の平面図である。
【図３】第２基板の平面図である。
【図４】シャッタ及びその駆動部の斜視図である。
【図５】表示領域における固定開口と駆動開口の位置を示す図である。
【図６】周辺領域におけるダミー開口と駆動開口の位置を示す図である。
【図７】ダミー開口と駆動開口の位置を示す拡大図である。
【図８】本実施形態に係る表示装置が組み込まれた電子機器を説明する図である。
【図９】電子機器の変形例を説明する図である。
【図１０】変形例に係るダミー開口を示す図である。
【図１１】変形例に係るダミー開口と駆動開口の位置を示す拡大図である。
【発明を実施するための形態】
【００２２】
以下、本発明の実施形態について、図面を参照して説明する。
【００２３】
図１は、本発明の実施形態に係る表示装置の断面図である。表示装置は、光透過性の第１基板１０（例えばガラス基板）を有する。第１基板１０には、遮光膜１２が形成されている。遮光膜１２は、少なくとも１層の金属膜（例えばＡｌ系金属膜１４及びＭｏ系金属膜１６）からなり、光の透過を遮断するために必要な厚みを有する。
【００２４】
図２は、第１基板１０の平面図である。第１基板１０は、画像を表示するための表示領域１８と、表示領域１８の外側の周辺領域２０と、を有する。周辺領域２０は表示領域１８を囲む領域である。矩形の表示領域１８を囲む周辺領域２０は、矩形の外形を有する。遮光膜１２は、表示領域１８及び周辺領域２０に形成されている。詳しくは、遮光膜１２は、表示領域１８の全体にわたって形成されているが、周辺領域２０では、第１基板１０の周縁部を避けて形成されている。図２の例では、遮光膜１２は、第１基板１０の四隅に対応する位置に切り欠きが形成されている。
【００２５】
遮光膜１２は、表示領域１８に複数の固定開口２２を有する。固定開口２２は、一方向に長いスリットである。複数の固定開口２２は、平行に延びるようになっている。複数の固定開口２２は、規則性を以て配置されている。例えば、所定の本数（図２では３本）の固定開口２２が１グループになり、複数のグループの固定開口２２が、複数行複数列でマトリクス状に配列されている。横方向（行方向）に隣同士のグループの間隔は等しく、縦方向）（列方向）に隣同士のグループの間隔は等しい。
【００２６】
遮光膜１２は、周辺領域２０ではダミー開口２４を有する。図２に示すダミー開口２４は、切り欠きであるが、穴（開口）であってもよい。ダミー開口２４のエッジ２６（図７参照）は、固定開口２２の一部である。つまり、ダミー開口２４は、固定開口２２を切断した形状になっている。複数のダミー開口２４のそれぞれは、スリットを切断した形状の細長い切れ込みであり、複数の切れ込みが平行に延びるようになっている。所定の本数（図２では３本）のダミー開口２４が１グループになって形成されている。矩形の第１基板１０の四隅のそれぞれに１グループのダミー開口２４が形成されている。
【００２７】
ダミー開口２４の配置は、固定開口２２の配列の規則性に従っている。つまり、複数の固定開口２２の規則性を以て周辺領域２０にも固定開口２２を配置したと仮想したときに、その固定開口２２と一致する位置にダミー開口２４が形成されている。ダミー開口２４の縁は、その仮想の固定開口２２の縁の一部からなるエッジ２６（図７参照）を含む。
【００２８】
図１に示すように、表示装置は、光透過性の第２基板２８（例えばガラス基板）を有する。第２基板２８は、第１基板１０から間隔をあけて対向するように配置されている。第２基板２８は、図示しない薄膜トランジスタや配線などが形成された回路基板又はＴＦＴ（Thin Film Transistor）基板である。第２基板２８には、それぞれ光透過性の下地ＳｉＮ膜３０、下地ＳｉＯ膜３１、ゲート絶縁膜３２及び第１層間絶縁膜３３が積層され、その上に光を遮断する内蔵遮光板３４が形成され、その上に光透過性の第２層間絶縁膜３５が積層され、その上に光透過性のパッシベーション膜３７が積層されている。内蔵遮光板３４には、光を透過させる開口３６が形成されている。
【００２９】
第１基板１０及び第２基板２８は、図示しないシール材によって間隔をあけて固定されている。第１基板１０及び第２基板２８の間（図示しないシール材によって封止された空間）にはオイル３８（例えばシリコーンオイル）が満たされている。
【００３０】
図３は、第２基板２８の平面図である。第２基板２８には、複数のシャッタ４０が設けられている。第２基板２８も、第１基板１０との重複領域において、画像を表示するための表示領域１８と、表示領域１８の外側の周辺領域２０と、を含む。複数のシャッタ４０は、表示領域１８及び周辺領域２０に配置されている。
【００３１】
図４は、シャッタ４０及びその駆動部の斜視図である。シャッタ４０は、無機材料からなる。シャッタ４０は、駆動開口４２を有するプレートである。また、シャッタ４０には、強度を高めるために凹部４４が形成されているが、この凹部４４は貫通していない。駆動開口４２を光が通過し、駆動開口４２以外の部分で光を遮断する。
【００３２】
シャッタ４０は、第１バネ４６に支持されて、図１に示すように第２基板２８から浮くようになっている。複数（図４では４つ）の第１バネ４６によってシャッタ４０が支持されている。第１バネ４６は、第１アンカー部４８で第２基板２８に固定されている。
【００３３】
第１バネ４６は、弾性変形可能な材料からなる。第１バネ４６は、厚みの薄い板状をなしており、厚み方向を横方向（第２基板２８の板面に平行な方向）に向けて、幅方向を上下方向（第２基板２８の板面に垂直な方向）に向けて配置されている。これにより、第１バネ４６は、その厚み方向である横方向に変形できるようになっている。
【００３４】
第１バネ４６は、シャッタ４０から離れる方向（駆動開口４２の長さ方向に交差（例えば直交）する方向）に延びる第１部５０と、駆動開口４２の長さ方向に沿った方向であって駆動開口４２の長さ方向の中央から外方向に向かって延びる第２部５２と、さらにシャッタ４０から離れる方向（駆動開口４２の長さ方向に交差（例えば直交）する方向）に延びる第３部５４と、を有する。そして、シャッタ４０は、図４に矢印で示すように、駆動開口４２の長さ方向に交差（例えば直交）する方向に移動できるように第１バネ４６に支持されている。
【００３５】
第２基板２８には、第２アンカー部５６に支持された第２バネ５８が設けられている。第２バネ５８も、弾性変形可能な材料からなる。第２バネ５８は、厚みの薄い板状をなしており、厚み方向を横方向（第２基板２８の板面に平行な方向）に向けて、幅方向を上下方向（第２基板２８の板面に垂直な方向）に向けて配置されている。これにより、第２バネ５８は、その厚み方向である横方向に変形できるようになっている。また、第２バネ５８は、ループ状になっており、第２アンカー部５６から延びた帯状部が、屈曲して折り返されて、同じ第２アンカー部５６に戻るようになっている。
【００３６】
第２バネ５８は、第１バネ４６の第２部５２よりもシャッタ４０から離れた側で、この第２部５２に対向するようになっている。第２アンカー部５６に電圧を印加し、第１バネ４６の第２部５２との電位差によって生じる静電引力によって、第２部５２が第２バネ５８に引き寄せられるようになっている。第２部５２が引き寄せられると、第２部５２と一体的な第１部５０を介して、シャッタ４０も引き寄せられる。つまり、第１バネ４６及び第２バネ５８は、シャッタ４０を機械的に駆動するための駆動部６０を構成するためのものである。駆動部６０は、シャッタ４０の少なくとも一部と同じ材料から形成されている。
【００３７】
なお、図１に示すように、シャッタ４０及び駆動部６０は、オイル３８内に配置されている。オイル３８によってシャッタ４０及び駆動部６０の動きによる振動を抑えることができ、第１バネ４６と第２バネ５８の固着も防止することができる。
【００３８】
シャッタ４０は、少なくとも１つの駆動開口４２を有する。駆動開口４２は、一方向に長い形状になっているが、シャッタや開口形状の変形を防止するためのブリッジ６２や凹部４４が形成されているため、複数に分離されている。この場合、１つのシャッタ４０には、２つ以上の駆動開口４２が長さ方向に直交して配列されている。隣同士の駆動開口４２は平行になるように配列されている。
【００３９】
図３に示すように、複数のシャッタ４０が、全体で、複数の駆動開口４２を有する。複数の駆動開口４２は、表示領域１８及び周辺領域２０の全体で規則性を以て配置されている。例えば、複数のシャッタ４０が、複数行複数列でマトリクス状に配列されている。表示領域１８に配置されたシャッタ４０と、周辺領域２０に配置されたシャッタ４０の配列規則は同じである。また、それぞれのシャッタ４０に形成された２つ以上の駆動開口４２の形状及び配列も同じになるように設計されている。
【００４０】
図５は、表示領域１８における固定開口２２と駆動開口４２の位置を示す図である。複数の固定開口２２の配列の規則性は、複数の駆動開口４２の配列の規則性に対応している。つまり、表示領域１８では、駆動開口４２と固定開口２２とが対応するようになっている。
【００４１】
シャッタ４０は、駆動部６０によって、第１位置Ｐ１と第２位置Ｐ２の間を移動する。複数の駆動開口４２は、それぞれ、第１位置Ｐ１と第２位置Ｐ２との間の方向に交差して延びるように形成されている。
【００４２】
シャッタ４０の駆動開口４２と遮光膜１２の固定開口２２は、両者が連通すれば光が通過する。表示領域１８のシャッタ４０は、第１位置Ｐ１で駆動開口４２と固定開口２２が連通して光を通過させる。シャッタ４０の移動によって遮光膜１２の固定開口２２が遮蔽されると光が遮断される。表示領域１８のシャッタ４０は、第２位置Ｐ２で駆動開口４２と固定開口２２がずれるように配置されて光を遮断する。このとき、固定開口２２は、駆動開口４２から、第１位置Ｐ１と第２位置Ｐ２との間の方向（シャッタ４０の移動方向）にずれて位置する。このずれ量は、光の遮蔽のために重要である。
【００４３】
遮光膜１２の固定開口２２への光の通過及び遮断を制御するように、シャッタ４０は機械的に駆動される。１つのシャッタ４０に対応する駆動開口４２及び固定開口２２によって１画素が構成され、多数の画素によって画像が表示されるようになっている。そのため、複数（多数）のシャッタ４０が設けられている。シャッタ４０及び駆動部６０は、駆動開口４２及び固定開口２２を通過する光の有無及び強弱によって画像を表示する表示領域１８に配置されている。
【００４４】
図６は、周辺領域２０におけるダミー開口２４と駆動開口４２の位置を示す図である。図３に示すように、周辺領域２０のシャッタ４０は、第１シャッタ６６を含む。図６に示すように、遮光膜１２は、第１シャッタ６６の駆動開口４２の全体を第１シャッタ６６の位置にかかわらず常に覆う。言い換えると、周辺領域２０で遮光膜１２に常時覆われるシャッタ４０が第１シャッタ６６である。
【００４５】
図３及び図６に示すように、周辺領域２０のシャッタ４０は、第２シャッタ６８を含む。図６に示すように、遮光膜１２は、周辺領域２０において、第２シャッタ６８の一部との重複を避けるように形成されている。つまり、周辺領域２０で、遮光膜１２から第２シャッタ６８の一部が露出している。
【００４６】
図７は、ダミー開口２４と駆動開口４２の位置を示す拡大図である。第２シャッタ６８が第２位置Ｐ２にあるとき、ダミー開口２４のエッジ２６は第２シャッタ６８の基材に重なる。なお、表示領域１８では、図５に示すように、シャッタ４０が第２位置Ｐ２にあるとき、駆動開口４２がシャッタ４０の基材に重なる。
【００４７】
ダミー開口２４のエッジ２６は、遮光膜１２と第２シャッタ６８との反射率の違い又は色の違いによって、第２シャッタ６８の基材上で視覚的に認識することができる。また、このとき、第２シャッタ６８の駆動開口４２の縁の一部は遮光膜１２から露出する。
【００４８】
ダミー開口２４のエッジ２６は、第２シャッタ６８が第２位置Ｐ２にあるとき、駆動開口４２の縁から、第１位置Ｐ１と第２位置Ｐ２との間の方向（シャッタ４０の駆動方向）にずれて位置する。そのずれ量は、ダミー開口２４と一致するように仮想の固定開口２２を配置したときの、その固定開口２２と駆動開口４２のずれ量に相当する。なお、ダミー開口２４のエッジ２６は、シャッタ４０の移動する方向に直交して延びている。
【００４９】
図５及び図７から分かるように、複数のシャッタ４０が第２位置Ｐ２にあるとき、周辺領域２０の駆動開口４２とエッジ２６との距離ｄ（図７）と、表示領域１８の駆動開口４２と固定開口２２の縁の一部との距離Ｄ（図５）とが相間関係を有する。例えば両者の距離が等しい。したがって、周辺領域２０の駆動開口４２とエッジ２６との距離ｄを測定すれば、表示領域１８の駆動開口４２と固定開口２２の縁の一部との距離Ｄを知ることができる。すなわち、固定開口２２と駆動開口４２のずれ量を知ることができる。
【００５０】
本実施形態によれば、シャッタ４０が第２位置Ｐ２にあると光が遮断されるので、表示領域１８の駆動開口４２と固定開口２２のずれ量を測定することができない。しかし、周辺領域２０で、ダミー開口２４のエッジ２６と駆動開口４２の距離ｄを測定すれば、表示領域１８での駆動開口４２と固定開口２２のずれ量を検出することができる。
【００５１】
図８は、本実施形態に係る表示装置が組み込まれた電子機器を説明する図である。電子機器は、例えばスマートフォンが想定されている。電子機器において画像の表示に使用される光は、図８に示すように、バックライト７０から供給される。バックライト７０は、図８に示すように第１基板１０の外側に配置してもよいし、変形例として第２基板２８の外側に配置してもよい。
【００５２】
また、本実施形態に係る表示装置は、上述したように周辺領域２０を光が透過する。したがって、図８に示すように、表示装置の表示領域１８及び周辺領域２０を覆うカバー基板７２に、周辺領域２０を覆うように遮光層６４（印刷部）を形成することが好ましい。
【００５３】
あるいは、変形例として、図９に示すように、カバー基板７２には印刷部を形成せずに、第２基板２８に形成される内蔵遮光板７４を、周辺領域２０においては開口を有しないように形成してもよい。この場合、周辺領域２０では、バックライト７０の光が透過しないので、第１基板１０を透過してシャッタ４０で反射して戻る光を使用して、周辺領域２０で、ダミー開口２４のエッジ２６と駆動開口４２の距離を測定する。
【００５４】
図１０は、変形例に係るダミー開口を示す図である。図１１は、変形例に係るダミー開口と駆動開口の位置を示す拡大図である。
【００５５】
図１１において、周辺領域で、第２シャッタ１６８が第２位置Ｐ２（表示領域での遮光位置）にある。このとき、遮光膜１１２のエッジは、第２シャッタ１６８の基材に重なる第１エッジ１７４と、第２シャッタ１６８の駆動開口１４２に重なる第２エッジ１７６と、を含む。
【００５６】
ダミー開口１２４のエッジは、第１エッジ１７４を含む。第１エッジ１７４は、周辺領域のシャッタ１４０が第２位置Ｐ２にあるとき、駆動開口１４２の縁から、第１位置Ｐ１と第２位置Ｐ２との間の方向（シャッタ１４０の駆動方向）にずれて位置する。これに対して、第１エッジ１７４の延びる方向は、シャッタ１４０の駆動方向に直交する。したがって、ダミー開口１２４の第１エッジ１７４と駆動開口１４２（詳しくは第１エッジ１７４に最も近い縁）の距離ｄ１（シャッタ１４０の駆動方向の距離）を測定すれば、相間関係を有する表示領域で、駆動開口１４２と固定開口のずれ量を検出することができる。ずれ量が少なければ、十分な遮光が確保できていないことが分かる。
【００５７】
ダミー開口１２４のエッジは、第２エッジ１７６を含む。第２エッジ１７６は、周辺領域のシャッタ１４０が第２位置Ｐ２にあるとき、駆動開口１４２の縁から、駆動開口１４２が延びる方向にずれて位置する。つまり、第２エッジ１７６は、シャッタ１４０の駆動方向に延びる。したがって、ダミー開口１２４の第２エッジ１７６と駆動開口１４２（詳しくは第２エッジ１７６に最も近い縁）の距離ｄ２（駆動開口１４２の長さ方向の距離）を測定すれば、この方向でのシャッタ１４０の位置ずれを検出することができる。
【００５８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５９】
１０  第１基板、１２  遮光膜、１４  Ａｌ系金属膜、１６  Ｍｏ系金属膜、１８  表示領域、２０  周辺領域、２２  固定開口、２４  ダミー開口、２６  エッジ、２８  第２基板、３０  下地ＳｉＮ膜、３１  下地ＳｉＯ膜、３２  ゲート絶縁膜、３３  第１層間絶縁膜、３４  内蔵遮光板、３５  第２層間絶縁膜、３６  開口、３７  パッシベーション膜、３８  オイル、４０  シャッタ、４２  駆動開口、４４  凹部、４６  第１バネ、４８  第１アンカー部、５０  第１部、５２  第２部、５４  第３部、５６  第２アンカー部、５８  第２バネ、６０  駆動部、６２  ブリッジ、６４  遮光層、６６  第１シャッタ、６８  第２シャッタ、７０  バックライト、７２  カバー基板、７４  内蔵遮光板、１１２  遮光膜、１２４  ダミー開口、１４０  シャッタ、１４２  駆動開口、１６８  第２シャッタ、１７４  第１エッジ、１７６  第２エッジ。
【図１】
2013088648.tif 000003
【図２】
2013088648.tif 000004
【図３】
2013088648.tif 000005
【図４】
2013088648.tif 000006
【図５】
2013088648.tif 000007
【図６】
2013088648.tif 000008
【図７】
2013088648.tif 000009
【図８】
2013088648.tif 000010
【図９】
2013088648.tif 000011
【図１０】
2013088648.tif 000012
【図１１】
2013088648.tif 000013